(57)【要約】【課題】新設屋根による負荷にも接続・固定関係が失われるようなことがなく、固定具と既設屋根すなわち母屋側との接続・固定関係が得られて、既設屋根上に新設屋根を重ね葺きして施工することが可能な重ね葺き用固定具およびこの固定具を用いた改修構造を提供すること。【解決手段】下取付部２と上取付部３とを備え、下取付部２にはガイド穴４と、ガイド穴４に連通して、ボルト９のネジ部分９ａの径よりもやや大幅の挿入溝５を形成してある。【選択図】  図１
2004250862.tif 000002
【特許請求の範囲】
【請求項１】
既設屋根の上方に突出するボルトのネジ部分に螺合されるナットにより母屋材に固定された既設屋根に対し重ね葺きされる新設屋根を、前記既設屋根上に連結固定する重ね葺き用固定具において、前記既設屋根上に取り付けられる下取付部と、前記新設屋根を取り付ける上取付部とを備えており、前記下取付部には、前記ナットおよび座金の径よりも大径のガイド穴と、該ガイド穴に連通して、前記ボルトのネジ部分の径よりもやや大幅の挿入溝を形成してあることを特徴とする重ね葺き用固定具。
【請求項２】
ボルトを挿入溝内に抜止規制可能な規制手段を有していることを特徴とする請求項１記載の重ね葺き用固定具。
【請求項３】
請求項１記載の重ね葺き用固定具を用い、既設屋根上に新設屋根を重ね葺きしてなる改修構造であって、
前記固定具の下取付部を、母屋材に固定された既設屋根上に載置すると共にボルトがガイド穴から挿入溝に挿入するようにスライドし、規制手段によりボルトが挿入溝内に抜止規制された状態の固定具における上取付部上に新設屋根を構築したことを特徴とする改修構造。
【発明の詳細な説明】
【０００１】
【発明の属する技術分野】
本発明は既設屋根上に新設屋根を重ね葺きするのに用いられる重ね葺き用固定具およびこの固定具を用いた改修構造に関する。
【０００２】
【従来の技術】
先行文献１には、屋根補修工法が記載され、同工法に用いられるクランプ金具として、断面山形の底面部に、その頂部を貫通してフックボルトのナット直下の軸部回りに嵌合せしめる穴と、該穴と底面部の上記端縁とを連通せしめてフックボルトの軸部を上記穴に嵌入させるガイド溝からなる切欠きを形成し、且つ、上記ガイド溝は上記穴との連接部の溝幅が上記孔の径よりも小さく、溝幅が底面部端縁の開口に向けて拡大するテーパー状に形成したものが記載および図示されている。
ところで、かかるクランプ金具では、ボルトの軸部と穴との嵌合関係を、穴およびこの穴に続くガイド溝の拡開により確保している構成のものであるため、この拡開によって嵌合関係という位置規制が失われる恐れがあるものであり、穴からボルトが外れてしまうことも起こり得る構造上の不備がある。この点は、底面部が断面山形で既設の波形スレートの山部に沿う形状であること、そして、新設の金属板屋根材の重量が負荷されることが相乗することにより、穴およびガイド溝は拡開動作し易くなっているといえる。
また、座金下のパッキン材により得ている接触摩擦抵抗は、パッキン材の劣化或いは振動等によって損なわれる虞れがあり、既設屋根との接続関係に対する貢献度は低いものになる。
このような拡開状態になれば、既設屋根材に対する固定具の接続・固定関係が失われるわけであるから、固定具ともども新設屋根材はフリーになってしまうという重大な問題に発展することにもなりかねない。
【０００３】
【先行文献１】
特許２９０７４２２
【０００４】
【発明が解決しようとする課題】
解決しようとする課題は、第１には、新設屋根による負荷にも接続・固定関係が失われるようなことがなく、固定具と既設屋根すなわち母屋側との接続・固定関係が得られて、既設屋根上に新設屋根を重ね葺きして施工することが可能な重ね葺き用固定具を、第２には、さらに、接続・固定関係に強制的に規制することで、より堅固な接続・固定関係に重ね葺きして施工することが可能な重ね葺き用固定具を、第３には、新設屋根による負荷にも接続・固定関係が失われるようなことがなく、この接続・固定関係に強制的に規制されていることで、固定具と既設屋根すなわち母屋側との接続・固定関係が堅持され、かかる固定具を経て既設屋根上に新設屋根が確実に重ね葺きされている改修構造を提供することにある。
【０００５】
【課題を解決するための手段】
本発明は前記した課題を達成するため、重ね葺き用固定具では、既設屋根の上方に突出するボルトのネジ部分に螺合されるナットにより母屋材に固定された既設屋根に対し重ね葺きされる新設屋根を、前記既設屋根上に連結固定する重ね葺き用固定具において、前記既設屋根上に取り付けられる下取付部と、前記新設屋根を取り付ける上取付部とを備えており、前記下取付部には、前記ナットおよび座金の径よりも大径のガイド穴と、該ガイド穴に連通して、前記ボルトのネジ部分の径よりもやや大幅の挿入溝を形成してあることを特徴とする。
また、前記した重ね葺き用固定具では、ボルトを挿入溝内に抜止規制可能な規制手段を有していることを特徴とする。
そして、かかる固定具を用いた改修構造では、前記の重ね葺き用固定具を用い、既設屋根上に新設屋根を重ね葺きしてなる改修構造であって、前記固定具の下取付部を、母屋材に固定された既設屋根上に載置すると共にボルトがガイド穴から挿入溝に挿入するようにスライドし、規制手段によりボルトが挿入溝内に抜止規制された状態の固定具における上取付部上に新設屋根を構築したことを特徴とする。
【０００６】
本発明における固定具の形態は、既設屋根上に取り付けられる下取付部と、新設屋根を取り付ける上取付部とが上下位置関係を有するもの全てを含み、この上下位置関係としては、上下対向状或いは上下対称状等が挙げられる。下取付部は既設屋根に沿う形状に形成されるのが望ましい。また、新設屋根を取り付ける上取付部は、屋根材等の外装材を直接取り付ける態様のものであっても良いし、垂木等の支持部材、或いは外装材の保持部材（吊子等）、断熱材等を介在させて取り付ける態様のものであっても良い。この上取付部は、外装材を直接取り付ける場合は、その外装材の形状に沿う形状としても良いし、上下両面が水平状の垂木等を介在する場合は略水平状に形成しても良い。同様に、既設屋根上に取り付けられる下取付部は、屋根上面に直接取り付けられる態様のものであっても良いし、他の部材を介在させて取り付けられる態様のものであっても良い。かかる固定具は、複数の部材から形成されているものであっても良い。
ガイド穴は、丸穴状、角穴状、半円状、その他のこれらに類する形状のいずれであっても良い。挿入溝は、ボルトが挿入可能な例えば略Ｕ字状等の溝であれば良く、溝入口はガイド穴側に向けて広がるテーパー状であるのが望ましい。
【０００７】
規制手段は、下取付部または上取付部或いは両部間の起立部の一部から下方へ突出されて既設屋根に噛合可能な噛合部であっても良いし、上取付部または下取付部或いは両部間の起立部の一部に形成されて既設屋根の上方に突出するボルト或いはナットに当接可能な抜止ストッパーであっても良いし、挿入溝に至る溝途中に形成されて、ボルトを挿入溝内に抜止規制可能な抜止顎部或いは抜止突部であっても良い。また、下取付部下面に形成されて既設屋根に噛合可能な鋸歯状或いはローレット状等の噛合部であっても良いし、さらに、前記した噛合とストッパーを併用しても良く、この規制手段としては、下取付部のスライド（ボルトが挿入溝に挿入する動き）を妨げない一方で、下取付部の逆スライド（ボルトが挿入溝から外れ出る動き）を規制して、ボルトを挿入溝内に抜止規制可能な態様のものであれば良い。また、前記した抜止ストッパーは、予め下方へ突出成形しておいてボルト或いはナットに当接可能にしてある態様でも良いし、既設屋根上に取り付けられた後に下方へ折り下げられることでボルト或いはナットに当接可能な態勢を整え可能な態様のものであっても良い。
固定具の材質は、金属或いは樹脂等の硬質材になる。
新設屋根としては、新設屋根材に限らず、垂木や床板等も含まれる。既設屋根としては、固定具を取り付け可能なようにボルト（若しくは類する部材）等が立設されている公知の既設屋根（主に波形スレート屋根）であれば良い。
【０００８】
【発明の実施の形態】
図１〜図３には本発明の重ね葺き用固定具における実施の１形態を示しており、固定具１は断面略コ状のピース材で、後で説明する既設屋根材８の突条部８ａ上面に沿う形状の断面凸曲状下取付部２と、後で説明する新設屋根材１３の下面に沿う形状の水平状上取付部３とを上下対向状に備えている。
下取付部２には、板面の長手方向に沿いガイド穴４および挿入溝５を相互に連通状に開口しており、ガイド穴４は、既設屋根材８の上方に突出するフックボルト９のネジ部分９ａに螺合されるナット１０および座金１１並びに弾性材１２の径よりも大径の丸穴状に形成し、挿入溝５は、フックボルト９のネジ部分９ａの径よりもやや大幅で且つナット１０および座金１１並びに弾性材１２の径よりも小径の略Ｕ字状に形成している。また、挿入溝５の入口両溝縁は、フックボルト９がガイド穴４側から入り易いようにテーパー状に形成してある。
また下取付部２には噛合爪部６を板面から打ち出して形成してある。この噛合爪部６は、挿入溝５側の側縁からガイド穴４側とは反対方向の斜め下方へ突出され、下取付部２のスライドすなわち噛合爪部６が既設屋根材８上面を摺動することにより挿入溝５内へのフックボルト９の挿入を妨げない一方で、下取付部２の逆スライドすなわち挿入溝５内からフックボルト９が抜け出ようとする動きを噛合爪部６が既設屋根材８上面に噛合することにより阻止し得るように形成してある。この噛合爪部６は、下取付部２の逆スライドを阻止することで、フックボルト９を挿入溝５内に抜止規制可能に形成してある。
【０００９】
図４には本発明の重ね葺き用固定具における実施の他の１形態を例示しており、構成は前記した図１の態様のものと断面略口状に形成してある点を除いて基本的に同一であるため、符号を準用して説明を省略する。
【００１０】
図５には本発明の重ね葺き用固定具における実施の他の１形態を例示しており、構成は前記した図１の態様のものと側面コ状で且つ上取付部３が下取付部２と上下対向状に形成してある点を除いて基本的に同一であるため、符号を準用して説明を省略する。
【００１１】
図６には本発明の重ね葺き用固定具における実施の他の１形態を例示しており、構成は前記した図１の態様のものと側面クランク状で且つ上取付部３が下取付部２と上下対称状に形成してある点を除いて基本的に同一であるため、符号を準用して説明を省略する。
【００１２】
図７〜図９には本発明の重ね葺き用固定具における実施の他の１形態を例示しており、構成は前記した図１の態様のものと側面クランク状で且つ下取付部２と上取付部３を上下対称状に形成してある点およびガイド穴４が半円状である点を除いて基本的に同一であるため、符号を準用して説明を省略する。
【００１３】
図１０〜図１２には本発明の重ね葺き用固定具における実施の他の１形態を例示しており、構成は前記した図１の態様のものと基本的に同一であるため、共通している構成の説明は符号を準用して説明を省略し、相違する構成について説明する。
挿入溝５の入口両溝縁は、フックボルト９がガイド穴４側から入り易いようにアール状に形成してある。
上取付部３には抜止ストッパー１７を板面から打ち出して形成してある。この抜止ストッパー１７は、ガイド穴４上から挿入溝５側に向けて斜め下方へ突出されていると共に、ストッパー先端部１７ａが固定具１の取り付け状態における挿入溝５内のフックボルト９のネジ部分９ａに当接し得るように形成してあり、下取付部２が既設屋根材８上面を摺動してスライドすることにより挿入溝５内へのフックボルト９の挿入を妨げない一方で、下取付部２の逆スライドすなわち挿入溝５内からフックボルト９が抜け出ようとする動きを抜止ストッパー１７がネジ部分９ａに当接することにより阻止し得るように形成してある。この抜止ストッパー１７は、下取付部２の逆スライドを阻止することで、フックボルト９を挿入溝５内に抜止規制可能に形成してある。
【００１４】
図１３には本発明の重ね葺き用固定具における実施の他の１形態を例示しており、構成は前記した図１０の態様のものと比べて断面略口形状で且つ折り曲げ辺部に穴部１８が開けられて折り曲げ加工し易く形成してある点を除いて基本的に同一であるため、符号を準用して説明を省略する。
【００１５】
図１４〜図１６には本発明の重ね葺き用固定具における実施の他の１形態を例示しており、構成は前記した図１の態様のものと基本的に同一であるため、共通している構成の説明は符号を準用して説明を省略し、相違する構成について説明する。
挿入溝５の入口両溝縁は、フックボルト９がガイド穴４側から入り易いようにアール状に形成してある。
上取付部３には抜止ストッパー１９を板面から打ち出して形成してある。この抜止ストッパー１９は、ガイド穴４上から挿入溝５側に向けて斜め下方へ突出状に折り下げ可能に形成されていると共に、折り下げ時にストッパー先端部１９ａが固定具１の取り付け状態における挿入溝５内のフックボルト９に螺合しているナット１０に当接し得るように形成してあり、下取付部２が既設屋根材８上面を摺動してスライドすることにより挿入溝５内へのフックボルト９の挿入を妨げない一方で、下取付部２の逆スライドすなわち挿入溝５内からフックボルト９が抜け出ようとする動きを抜止ストッパー１９が折り下げられてナット１０に当接することにより阻止し得るように形成してある。この抜止ストッパー１９は、下取付部２の逆スライドを阻止することで、フックボルト９を挿入溝５内に抜止規制可能に形成してある。
【００１６】
図１７〜図１８には本発明の重ね葺き用固定具における実施の他の１形態を例示しており、構成は前記した図１の態様のものと挿入溝５が略Ｌ状で且つ内側の屈曲角部に抜止顎部６ａを形成している点を除いて基本的に同一であるため、符号を準用して説明を省略する。
【００１７】
図１９には本発明の重ね葺き用固定具を用いた改修構造における実施の１形態として、図１の固定具を用いて既設屋根材上に新設屋根材を重ね葺きした屋根構造を例示しており、母屋材７に大波スレート製の既設屋根材８を敷設した状態に、既設屋根材８の突条部８ａ上方に突出するフックボルト９のネジ部分９ａに螺合したナット１０により座金１１およびパッキング等の弾性材１２を介在させて固定している。
この既設屋根材８における上方へ突出しているネジ部分９ａ位置の突条部８ａには固定具１の下取付部２をこれのガイド穴４にナット１０、座金１１、弾性材１２が通るように被せて載置すると共に、固定具１を突条部８ａに沿いスライドさせて、突条部８ａ上面と弾性材１２下面との間に下取付部２を押し込むことにより、フックボルト９をガイド穴４側から挿入溝５に挿入してある。この挿入状態では、噛合爪部６が既設屋根材８上面に噛合し、下取付部２の逆スライドすなわちフックボルト９が挿入溝５から抜け外れる方向への動きを阻止することで、フックボルト９を挿入溝５内に抜止規制してある。
【００１８】
既設屋根材８上には折板製の新設屋根材１３を敷設し、既設屋根材８の突条部８ａ上に係止固定された固定具１における上取付部３上面には、隣り合う左右の新設屋根材１３における左右の側縁部１３ａを上下重合状に載置すると共に、この左右側縁部１３ａをタッピングネジ等の留め具１４で上取付部３に接続固定してある。留め具１４の拡大頭部１４ａと側縁部１３ａとの間には座金１５およびパッキング等の弾性材１６を介在させて雨仕舞している。この弾性材１６の劣化或いは振動等によっても、固定具１と既設屋根材８すなわち母屋側との固定関係が堅持され、かかる固定具１を経て既設屋根材８上に新設屋根材１３が確実に重ね葺きされている。
【００１９】
図２０には本発明の重ね葺き用固定具を用いた改修構造における実施の他の１形態として、図４の固定具を用いて既設屋根材上に新設屋根材を重ね葺きした屋根構造を例示しており、構成は前記した図１９の態様のものと基本的に同一であるため、符号を準用して説明を省略する。
【００２０】
図２１には本発明の重ね葺き用固定具を用いた改修構造における実施の他の１形態として、図５の固定具を用いて既設屋根材上に新設屋根材を重ね葺きした屋根構造を例示しており、構成は前記した図１９の態様のものと基本的に同一であるため、符号を準用して説明を省略する。
【００２１】
図２２には本発明の重ね葺き用固定具を用いた改修構造における実施の他の１形態として、図６の固定具を用いて既設屋根材上に新設屋根材を重ね葺きした屋根構造を例示しており、構成は前記した図１９の態様のものと基本的に同一であるため、符号を準用して説明を省略する。
【００２２】
図２３には本発明の重ね葺き用固定具を用いた改修構造における実施の他の１形態として、図１０の固定具を用いて既設屋根材上に新設屋根材を重ね葺きした屋根構造を例示しており、構成は前記した図１９の態様のものと基本的に同一であるため、共通している構成の説明は符号を準用して省略し、相違する構成について説明する。
固定具１を突条部８ａに沿いスライドさせて、突条部８ａ上面と弾性材１２下面との間に下取付部２を押し込み、フックボルト９がガイド穴４側から挿入溝５に挿入している挿入状態では、抜止ストッパー１７はストッパー先端部１７ａが溝奥のフックボルト９のネジ部９ａに溝入口側から当接し、下取付部２の逆スライドすなわちフックボルト９が挿入溝５から抜け外れる方向への動きを阻止することで、フックボルト９を挿入溝５内に抜止規制してある。
既設屋根材８上には折板製の新設屋根材１３を敷設し、既設屋根材８の突条部８ａ上に係止固定された固定具１における上取付部３上面には、新設屋根材１３における山部１３ｂを載置すると共に、この山部１３ｂをタッピングネジ等の留め具１４で上取付部３に接続固定してある。留め具１４の拡大頭部１４ａと側縁部１３ａとの間には座金１５およびパッキング等の弾性材１６を介在させて雨仕舞している。この弾性材１６の劣化或いは振動等によっても、固定具１と既設屋根材８すなわち母屋側との固定関係が堅持され、かかる固定具１を経て既設屋根材８上に新設屋根材１３が確実に重ね葺きされている。
【００２３】
図２４には本発明の重ね葺き用固定具を用いた改修構造における実施の他の１形態として、図１４の固定具を用いて既設屋根材上に新設屋根材を重ね葺きした屋根構造を例示しており、構成は前記した図２３の態様のものと基本的に同一であるため、共通している構成の説明は符号を準用して省略し、相違する構成について説明する。
固定具１を突条部８ａに沿いスライドさせて、突条部８ａ上面と弾性材１２下面との間に下取付部２を押し込み後、抜止ストッパー１９を折り下げてストッパー先端部１９ａがナット１０に当接可能な態勢に整える。このフックボルト９がガイド穴４側から挿入溝５に挿入している挿入状態では、抜止ストッパー１９はストッパー先端部１９ａが溝奥のフックボルト９のナット１０に当接し、下取付部２の逆スライドすなわちフックボルト９が挿入溝５から抜け外れる方向への動きを阻止することで、フックボルト９を挿入溝５内に抜止規制してある。
【００２４】
また、本発明の重ね葺き用固定具を用いた改修構造における実施の他の１形態として、図７の固定具を用いて既設屋根材上に新設屋根材を重ね葺きした場合の屋根構造は、前記した図２２と同図面になるため、同図を準用して説明を省略する。
また、図１３の固定具を用いて既設屋根材上に新設屋根材を重ね葺きした場合の屋根構造は、前記した図２３と同図面になるため、同図を準用して説明を省略する。
また、図１７の固定具を用いて既設屋根材上に新設屋根材を重ね葺きした場合の屋根構造は、前記した図１９と同図面になるため、同図を準用して説明を省略する。
【００２５】
【発明の効果】
Ａ．請求項１により、新設屋根による負荷にも接続・固定関係が失われるようなことがなく、固定具と既設屋根すなわち母屋側との接続・固定関係が得られて、既設屋根上に新設屋根を重ね葺きして施工することができる。
したがって、既設屋根上に新設屋根を重ね葺きするのに有用であり、また、間に断熱材或いは断熱空間層を形成するような上下の二重葺き屋根の施工に有用である。
Ｂ．請求項２により、さらに、接続・固定関係に強制的に規制することで、より堅固な接続・固定関係に重ね葺きして施工することができる。
Ｃ．請求項３により、新設屋根による負荷にも接続・固定関係が失われるようなことがなく、この接続・固定関係に強制的に規制されていることで、固定具と既設屋根すなわち母屋側との接続・固定関係が堅持され、かかる固定具を経て既設屋根上に新設屋根が確実に重ね葺きされていて堅牢である。
【図面の簡単な説明】
【図１】本発明の重ね葺き用固定具における実施の１形態を例示している斜視図。
【図２】一部切欠して示す平面図。
【図３】図２の（３）−（３）部分拡大縦断面図。
【図４】本発明の重ね葺き用固定具における実施の他の１形態を例示している斜視図で一部切欠して示す。
【図５】本発明の重ね葺き用固定具における実施の他の１形態を例示している斜視図。
【図６】本発明の重ね葺き用固定具における実施の他の１形態を例示している斜視図。
【図７】本発明の重ね葺き用固定具における実施の他の１形態を例示している斜視図。
【図８】平面図。
【図９】図８の（９）−（９）部分拡大縦断面図。
【図１０】本発明の重ね葺き用固定具における実施の他の１形態を例示している斜視図。
【図１１】平面図。
【図１２】図１１の（１２）−（１２）部分拡大縦断面図。
【図１３】本発明の重ね葺き用固定具における実施の他の１形態を例示している斜視図。
【図１４】本発明の重ね葺き用固定具における実施の他の１形態を例示している斜視図。
【図１５】平面図。
【図１６】図１５の（１６）−（１６）部分拡大縦断面図。
【図１７】本発明の重ね葺き用固定具における実施の１形態を例示している斜視図。
【図１８】一部切欠して示す平面図。
【図１９】本発明の重ね葺き用固定具を用いた改修構造における実施の１形態として、図１の固定具を用い既設屋根材上に新設屋根材を重ね葺きした屋根構造を示す縦断面図。
【図２０】本発明の重ね葺き用固定具を用いた改修構造における実施の他の１形態として、図４の固定具を用い既設屋根材上に新設屋根材を重ね葺きした屋根構造を示す縦断面図。
【図２１】本発明の重ね葺き用固定具を用いた改修構造における実施の他の１形態として、図５の固定具を用い既設屋根材上に新設屋根材を重ね葺きした屋根構造を示す縦断面図。
【図２２】本発明の重ね葺き用固定具を用いた改修構造における実施の他の１形態として、図６の固定具を用い既設屋根材上に新設屋根材を重ね葺きした屋根構造を示す縦断面図。
【図２３】本発明の重ね葺き用固定具を用いた改修構造における実施の他の１形態として、図１０の固定具を用い既設屋根材上に新設屋根材を重ね葺きした屋根構造を示す縦断面図。
【図２４】本発明の重ね葺き用固定具を用いた改修構造における実施の他の１形態として、図１４の固定具を用い既設屋根材上に新設屋根材を重ね葺きした屋根構造を示す縦断面図。
【符号の説明】
１  固定具
２  下取付部
３  上取付部
４  ガイド穴
５  挿入溝
６  噛合爪部（規制手段）
６ａ  抜止顎部（規制手段）
７  母屋材
８  既設屋根材（既設屋根）
８ａ  突条部
９  フックボルト
９ａ  ネジ部分９ａ
１０  ナット
１１、１５  座金
１２、１６  弾性材
１３  新設屋根材（新設屋根）
１３ａ  左右側縁部
１３ｂ  山部
１４  留め具
１４ａ  拡大頭部
１７、１９  抜止ストッパー（規制手段）
１７ａ、１９ａ  ストッパー先端部
１８  穴部
Ｌ  調整代
【図１】
2004250862.tif 000003
【図２】
2004250862.tif 000004
【図３】
2004250862.tif 000005
【図４】
2004250862.tif 000006
【図５】
2004250862.tif 000007
【図６】
2004250862.tif 000008
【図７】
2004250862.tif 000009
【図８】
2004250862.tif 000010
【図９】
2004250862.tif 000011
【図１０】
2004250862.tif 000012
【図１１】
2004250862.tif 000013
【図１２】
2004250862.tif 000014
【図１３】
2004250862.tif 000015
【図１４】
2004250862.tif 000016
【図１５】
2004250862.tif 000017
【図１６】
2004250862.tif 000018
【図１７】
2004250862.tif 000019
【図１８】
2004250862.tif 000020
【図１９】
2004250862.tif 000021
【図２０】
2004250862.tif 000022
【図２１】
2004250862.tif 000023
【図２２】
2004250862.tif 000024
【図２３】
2004250862.tif 000025
【図２４】
2004250862.tif 000026